(57)【要約】【課題】  洗濯機の筐体と床面との隙間から漏洩する１ｋＨｚ以下の比較的低周波を有する騒音を低減することである。【解決手段】  外槽１０と、その外槽１０内に回転可能に設けた洗濯兼脱水槽である内槽８と、内槽８を回転駆動するモータ１３と、外槽１０を収納する筐体１と、筐体１の下部に取り付けられるベース３と、ベース３と外槽１０間に配置された消音器１０１と、を有し、消音器１０１は、一方端に開口部と、他方端に閉口部と、を有し、開口部は、閉口部に対して、ベース３側、又は筐体１の中央側に配置され、開口部と閉口部間の長さは騒音波長の１／４の長さであり、断面形状が筒状もしくは矩形状で内部が空洞である構成とする。【選択図】  図３
2019208965.tif 000002
【特許請求の範囲】
【請求項１】
外槽と、
前記外槽内に回転可能に設けた洗濯兼脱水槽である内槽と、
前記内槽を回転駆動するモータと、
前記外槽を収納する筐体と、
前記筐体の下部に取り付けられるベースと、
前記ベースと前記外槽間に配置された消音器と、を有し、
前記消音器は、一方端に開口部と、他方端に閉口部と、を有し、前記開口部は、前記閉口部に対して前記ベース側、又は前記筐体の中央側に配置され、前記開口部と前記閉口部間の長さは騒音波長の１／４の長さであり、断面形状が筒状もしくは矩形状で内部が空洞であること特徴とする洗濯機。
【請求項２】
請求項１記載の洗濯機であって、
前記消音器は、前記開口部が前記ベースと前記閉口部間に配置され、前記消音器の長手方向は前記筐体の壁面に平行に配置された、洗濯機。
【請求項３】
請求項２記載の洗濯機であって、
前記消音器は、
前記開口部から前記閉口部までの第１の長さを有する第１の消音器と、
前記第１の長さより短い第２の長さを有する第２の消音器と、
を有する、洗濯機。
【請求項４】
請求項３記載の洗濯機であって、
前記第１の消音器は前記第２の消音器より前記筐体の壁側に配置された、洗濯機。
【請求項５】
請求項１記載の洗濯機であって、
前記消音器は、前記閉口部が前記筐体の壁側に配置され、前記開口部が前記筐体の中央側に配置され、前記消音器の長手方向は前記ベースの底面に沿って、又は平行に配置された、洗濯機。
【請求項６】
請求項１記載の洗濯機であって、
前記消音器は、前記開口部が前記ベースと前記閉口部間に配置され、且つ前記筐体の中央側へ配置され、前記消音器の長手方向断面形状は、曲面形状である、洗濯機。
【請求項７】
請求項１乃至６のいずれか１項に記載の洗濯機であって、
前記消音器は複数有する、洗濯機。
【請求項８】
請求項１乃至７のいずれか１項に記載の洗濯機であって、
前記消音器の開口部と閉口部間の長さは、横断面の長さより長い、洗濯機。
【発明の詳細な説明】
【技術分野】
【０００１】
本発明は、衣類等の洗濯を行う洗濯機に関する。
【背景技術】
【０００２】
縦型洗濯機とは、内槽の底にあるパルセータを回転させることにより衣類を洗濯し、内槽を高速回転することにより衣類の脱水などを行う洗濯機である。縦型洗濯機においては、近年、快適性の観点から低騒音化のニーズが高まってきている。縦型洗濯機の低騒音化、特に、共鳴現象や位相制御による低騒音化に関しては、これまで様々な発明がなされている。
【０００３】
例えば、特許文献１においては、縦型洗濯機を対象として、縦型洗濯機の筐体下面に共鳴器型の消音器を取り付けることによって、下方から漏洩する騒音の低減を図っていることが開示されている。また特許文献２においては、縦型洗濯機を対象として、縦型洗濯機の本体の底部に膨張型の消音器を取り付けることによって、騒音低減を図っていることが開示されている。
【先行技術文献】
【特許文献】
【０００４】
【特許文献１】特開平２０００−２７９６９１号公報
【特許文献２】特開平２００２−２５３８９８号公報
【発明の概要】
【発明が解決しようとする課題】
【０００５】
しかしながら、特許文献１、特許文献２おいては、消音器は、筐体の下面から床面の狭い空間に設置されるため、消音器のサイズの洗濯機の高さ方向に制約があるため、高周波に対しては効果があるものの、低周波に対しては、効果が出しにくいと考えられる。
【０００６】
本発明は、このような点を鑑みて改良したものであり、本発明の主な目的は、洗濯機の筐体と床面との隙間から漏洩する１ｋＨｚ以下の比較的低周波を有する騒音を低減することである。
【課題を解決するための手段】
【０００７】
上記目的を達成するための本発明の洗濯機は、外槽と、外槽内に回転可能に設けた洗濯兼脱水槽である内槽と、内槽を回転駆動するモータと、外槽を収納する筐体と、筐体の下部に取り付けられるベースと、ベースと外槽間に配置された消音器と、を有し、消音器は、一方端であるベース側に開口部と、他方端に閉口部と、を有し、開口部と閉口部間の長さは騒音波長の１／４の長さであり、断面形状が筒状もしくは矩形状で内部が空洞である構成とする。
【発明の効果】
【０００８】
本発明によれば、洗濯機の筐体と床面との隙間から漏洩する１ｋＨｚ以下の比較的低周波を有する騒音を低減できる。
【０００９】
なお、上記した以外の課題、構成及び効果は、以下の実施形態の説明により明らかにされる。
【図面の簡単な説明】
【００１０】
【図１】本発明の実施形態に係る洗濯機の斜視図である。
【図２】本発明の実施形態に係る洗濯機の内部構造を示す右側面断面図である。
【図３】本発明の実施例１の洗濯機の内部構造を示す右側面断面図である。
【図４】本発明の実施例１の消音器周辺の拡大図である。
【図５】本発明の実施例１の洗濯機の底面断面図である。
【図６】本発明の実施例２の洗濯機の内部構造を示す右側面断面図である。
【図７】本発明の実施例２の洗濯機の底面断面図である。
【図８】本発明の実施例３の洗濯機の内部構造を示す右側面断面図である。
【図９】本発明の実施例３の洗濯機の底面断面図である。
【図１０】本発明の実施例４の洗濯機の内部構造を示す右側面断面図である。
【図１１】本発明の実施例４の洗濯機の底面断面図である。
【発明を実施するための形態】
【００１１】
以下、本発明の実施例について図面を用いて説明する。
【００１２】
＜実施例１＞
図１に本発明の実施形態に係る洗濯機の斜視図を、図２に本発明の実施形態に係る洗濯機の内部構造を示す右側面断面図を示す。
図１に示すように、洗濯機１００は外郭を構成する筺体１を備え、筺体１の上部にトップカバー２を設けてあり、筐体１の下部にベース３が設けられている。ベース３には４つの脚が設けられているが、その内洗濯機本体に向かって右前の１箇所に高さが可能な調整脚３ａが設けられており、残りの３箇所は高さの調整ができない固定脚３ｂが設けられている。洗濯機を設置する際には、この調整脚３ａの高さを調整することで、本体の傾きやガタつきを調整する。また、トップカバー２には衣類投入口２ａを覆うように外蓋２ｂが設けられている。トップカバー２の前側には、電源スイッチ４や操作スイッチ５、表示器６を備えた操作パネル７が設けられている。なお、操作パネル７は、筺体１の背面に設けた制御装置１４に電気的に接続している。
筺体１の内部には、水を溜める外槽１０が四隅を吊り棒を介して筐体１に弾性支持されている。外槽１０の背面には、エアトラップ２１ａが設けてあり、その内部の圧力がチューブ２１ｂを介して水位センサ２１に伝えられ、外槽１０内に溜められた水の水位を検知する。筐体１の前方の隅には、安全スイッチ３１が設けられており、脱水時に外槽１０が振動した際に、所定の振動変位以上となった際に検知する構造となっている。
外槽１０の内部には、衣類を収納するための内槽８を備える。内槽８は、その外周壁に通水および通風のための多数の小さな貫通孔８ａと、その底壁に通水および通風のための複数の貫通孔８ｂを有し、その上縁部に流体バランサ９を備え、底部の内側には回転翼１１を回転自在に支持している。
外槽１０の底部の外側にはモータ１３が設けてあり、クラッチ機構１２を制御することで、内槽８と回転翼１１の回転を次のように動作させることが出来る。１つは、内槽８を静止させるように係止、または自由に回転できるように解放した状態で回転翼１１を繰り返し正逆回転させる動作で、主に衣類を撹拌させる場合に用いる。もう１つは、内槽８と回転翼１１を一体として同一方向に回転させる動作で、主に脱水する場合に用いる。
【００１３】
外槽１０の上面には槽カバー２３が設けてあり、槽カバー２３は衣類を投入するための円形状の開口部を有する衣類投入口２３ａ、温風吹き出し口２３ｂ、給水入口２５ａを備える。また、槽カバー２３には、衣類投入口２３ａを覆うように内蓋２４が設けてあり、ヒンジ２４ａにより開閉自在とする。内蓋２４は、取っ手２４ｂを上方に持ち上げることでロックが解除されて開き、下方に押すことでロックされる。
外槽１０の後側には乾燥ダクト１０ｃを設けている。乾燥ダクト１０ｃは蛇腹１０ｄを介して、乾燥ユニット１９に接続している。乾燥ユニット１９は、送風ファン１９ａの熱源であるヒータ１９ｂと、温度センサ１９ｃを備える。乾燥ユニット１９は、蛇腹２３ｃを介して、槽カバー２３に設けられた温風吹き出し口２３ｂに接続される。ヒータ１９ｂで温度を上昇させた空気を、送風ファン１９ａより循環することで衣類の乾燥を行う。また、筺体１には給水口２ｃに接続した給水電磁弁２５が設けてあり、内槽８や乾燥ダクト１０ｃに給水可能となっている。外槽１０の下部には排水するための排水口１０ｂを備えており、排水弁１５を介して排水ホース２４が接続している。
【００１４】
図３に本発明の実施例１の洗濯機の内部構造を示す右側面断面図を示す。
【００１５】
同図に示すように、本発明では、筐体１の底面部（ベース３の周端部）で、ベース３と外槽１０との間、且つ筐体１と外槽１０の間に、断面形状が筒状もしくは矩形状で内部が空洞である消音器１０１を備えており、消音器１０１により、筐体１の底面開口部２０１から放射される騒音を低減できる。図４に、本発明の第１の実施例の消音器周辺の拡大図を示す。同図に示すように、消音器１０１の下部底面（一方端）には開口された開口部を備え、上部（他方端）には閉口された閉口部を備える。消音器１０１の底面の開口部の開口面から閉口部の閉口面まで、つまり消音器１０１の長手方向の長さＬは、消音したい騒音の波長の１／４程度となっている。また消音器１０１は開口部がベース３と閉口部との間に配置され、消音器１０１の長手方向は筐体１の壁面に略平行、つまり重力方向に沿って配置されている。
【００１６】
以下に、消音器１０１での消音の原理を説明する。従来、筐体１内で発生した騒音は、筐体の底面開口部２０１から放射され、床面３０１との隙間２０２を通って、隙間放射面２０３から放射される。消音器１０１を設置した場合には、隙間２０２を通過する騒音は、消音器１０１の下部底面の開口部の開口面から侵入し、上部の開口部の閉口面で反射される。反射された騒音は、下部底面の開口面に到達するが、その際に、隙間２０２から伝わってくる騒音とぶつかり干渉を起こす。消音器１０１の内部長さＬが騒音の波長の１／４となっているため、反射された騒音と隙間から伝わる騒音とは逆位相となるので、お互いに騒音を打ち消し合うことができる。このようにして、消音器１０１において底面開口部２０１から放射される騒音を低減することができる。
【００１７】
また、これら消音の原理からすれば、洗濯機１００の筐体１（ベース３含む）と床面３０１との隙間２０２から漏洩する１ｋＨｚ以下の比較的低周波の騒音を低減させるには、騒音が隙間２０２を通過するところに消音器１０１の閉口部が配置されるようにすると共に、消音器１０１の長さＬを消音したい騒音の波長の１／４程度、具体的には、例えば、１ＫＨｚの低周波（波長３４ｃｍ）であれば１／４であるので、消音器１０１の長さＬは約８．５ｃｍにする必要がある。５００Ｈｚであれば、長さＬは約１７ｃｍにする必要がある。つまり、１ｋＨｚ以下の比較的低周波の騒音を低減させるためには、消音器１０１の長さＬは約８．５ｃｍ以上にする必要がある。
【００１８】
このような比較的長い消音器１０１は、他の構成に影響がないスペースに配置することが望ましく、例えば、本実施例のように、ベース３の周端部で、且つベース３と外槽１０間に配置させることが望ましい。このような位置に消音器を配置することで、外槽１０の大容量化の阻害を抑止し、洗濯機１００の筐体１（ベース３含む）と床面との隙間から漏洩する１ｋＨｚ以下の比較的低周波の騒音を低減させることができる。
消音の対象となる周波数は、例えば、固有周波数が挙げられ、洗濯機の場合、外槽１０の固有周波数で増音されることがある。その場合は、外槽１０の固有周波数により消音すべき支配的な周波数が決まるため、その固有周波数から消音器１０１の一般的な設計が可能となる。
【００１９】
図５に本発明の第１の実施例の洗濯機の底面断面図を示す。
【００２０】
同図に示すように、消音器１０１は断面が矩形形状をしており、筐体１の底面の周囲に設置される。なお、本実施例では矩形の形状であるが、断面形状は円形でも楕円でも多角形でもよい。さらに、消音器１０１においては、内部長さＬにのみ、低減したい騒音の波長の１／４という制限があるが、他の寸法には特に制限を設けていない。ただ、断面形状の幅や直径は比較的狭い方がよい、つまり開口部と閉口部間（長手方向）の長さは、長手方向と直交する断面方向（横断面方向）の長さより長く（横断面方向の長さは長手方向の長さより短い）。具合的には横断面方向（短手方向）の内部長さは、開口部と閉口部間の内部長さＬ以下、つまり、低減したい騒音の波長の１／４以下とすることが望ましい。
【００２１】
本実施例では、筐体１の下部にあるベース３の下面から上方向に消音器１０１を、ベース３の周端部に沿って複数並べて設置するため、筐体１の内部空間を有効に活用でき、１ｋＨｚ以下の低周波に対しても消音可能な消音器１０１の内部長さＬを確保できる。つまり、消音器１０１により１ｋＨｚ以下の低周波まで消音が可能となる。また、消音器１０１をベース３に設置することで、ベース３の剛性が向上し、その影響でベース３を取り付けている筐体１全体の剛性が向上するため、筐体１で発生する振動の抑制が可能となる。なお、本実施例では、ベース３の全周端部に複数並べて設けたが、全周設ける必要はなく、洗濯機を設置する環境上、図１で示す左右側や後側は家の壁など騒音が反射するものが存在することが多いため、より騒音が大きくなる場合がある。よって、少なくともベース３の左右側や後側に消音器を設けることが望ましい。
【００２２】
＜実施例２＞
図６に本発明の実施例２の洗濯機の内部構造を示す右側面断面図、図７に本発明の実施例２の洗濯機の底面断面図を示す。
【００２３】
図６に示すように、本実施例では、消音器１０１と消音器１０２の長手方向の長さの異なる２種類の消音器を備えている。具体的には、開口部から閉口部までの所定の長さ（第１の長さ）を備える消音器１０１（第１の消音器）と、この第１の長さより短い長さ（第２の長さ）を備える消音器１０２を備えている。このように消音器の内部長さＬは、消音器１０１と消音器１０２で異なって設定できるため、低減したい騒音が２種類の周波数ピークを有していた場合においては、内部長さＬをそれぞれのピーク周波数の波長に合わせて決定できる。これにより、低減したい騒音が２種類の周波数ピークを有していた場合においても、消音可能となる。なお、本実施例では、消音器は２つであるが、周波数のピークの数に応じて複数の種類の消音器を設けてもよい。また、本実施例の消音器１０１および消音器１０２は、断面が矩形形状をしている。なお、本実施例では矩形の形状であるが、断面形状は円形でも楕円でも多角形でもよい。また、図３と同様に、筐体１の底面部の周囲（ベース３の周端部）に設置される。その際、内部長さＬが長い消音器を筐体１の壁側に設け、長い方の消音器より筐体１の中央側に短い方の消音器を設けることで、筐体１の内部空間を有効に活用でき、外槽１０の大容量化の阻害を抑止しながら、実施例１と同様、１ｋＨｚ以下の比較的低周波の騒音を低減させることができる。本実施例では、消音器１０１を筐体１の壁側、消音器１０２を消音器１０１より筐体１の中央側に配置している。但し、外層１０の大容量化を大きく阻害しなければ、その配置については、この限りではない。
【００２４】
＜実施例３＞
図８に本発明の実施例３の洗濯機の内部構造を示す右側面断面図、図９に本発明の実施例３の洗濯機の底面断面図を示す。
【００２５】
図８に示すように、本実施例では、消音器１０３は、図３の実施例１の消音器１０１を９０°傾けた形状であり、消音器１０３の開口面が内側（筐体１の中央側）で、閉口面が外側（筐体１の壁側）を向いている。つまり、消音器１０３の長手方向はベース３の底面に沿って（略平行に）配置されている。消音器１０３を用いた消音の原理は実施例１および２と同様である。図９に示すように、消音器１０３の断面形状は、断面が矩形形状をしており、筐体１の底面部の周囲に設置される。なお、同図の破線の面が消音器１０３の開口面となる、つまり筐体１の中央側が開口部になるように配置されている。
【００２６】
本実施例の消音器１０３は、消音器１０１を寝かせた形状なので、洗濯機の高さ方向、幅方向に対してのコンパクト化が図れる。また、実施例１と同様にベース３の剛性が向上し、その影響でベース３を取り付けている筐体１全体の剛性が向上するため、筐体１で発生する振動の抑制が可能となる。
【００２７】
＜実施例４＞
図１０に本発明の実施例４の洗濯機の内部構造を示す右側面断面図、図１１に本発明の第４の実施例の洗濯機の底面断面図を示す。
【００２８】
図１０に示すように、本実施例では、消音器１０４は、曲面形状であり、開口部の開口面が内側（筐体１の中央側）で、閉口部の閉口面が上側である。また開口部はベース３と閉口部の間に配置されている。この場合、内部長さＬは、開口面と閉口面の中心を結んだ長さとなる。図１１に示すように、消音器１０４の断面形状は、断面が矩形形状をしており、筐体１の底面部の周囲（ベース３の周端部）に放射状に設置される。なお、今回放射状に配置したが、ベース３の周端部に沿って、配置しても構わない。その際でも、消音器１０４の開口部は、筐体１の中央側へ向くように設ける必要はある。
【００２９】
本実施例により、消音器１０４を曲面状にできるので、実施例３と同様に洗濯機の高さ方向にコンパクト化が図れるとともに、筐体１内部の外槽１０やモータ１３を避けた形状にできるなど、筐体１の内部を有効に活用した形状にすることができる。  
【符号の説明】
【００３０】
１  筐体
２  トップカバー
３  ベース
８  内槽
１０  外槽
１１  回転翼
１２  クラッチ機構
１３  モータ
１０１  消音器
１０２  消音器
１０３  消音器
１０４  消音器
２０１  底面開口部
２０２  隙間
２０３  隙間放射面
３０１  床面
【図１】
2019208965.tif 000003
【図２】
2019208965.tif 000004
【図３】
2019208965.tif 000005
【図４】
2019208965.tif 000006
【図５】
2019208965.tif 000007
【図６】
2019208965.tif 000008
【図７】
2019208965.tif 000009
【図８】
2019208965.tif 000010
【図９】
2019208965.tif 000011
【図１０】
2019208965.tif 000012
【図１１】
2019208965.tif 000013